(57)【要約】【課題】  キャットウオーク１１の軽量化と構造の強化を図った上で、メンテナンスも含めたキャットウオーク１１の機体への取り付け、取り外しが容易なものとし、さらに、作業中に草木がキャットウオーク１１に引っかかってしまうことを低減することを目的とする。【解決手段】  キャットウオーク１１は骨組１２と該骨組１２を密閉状に覆うカバー１３とから構成されており、前記骨組１２は取り付け板１２ａと円筒中空状の主パイプ１２ｄ、上下側補助パイプ１２ｅ、１２ｆとで構成されている。また、キャットウオーク１１の機体本体への取り付けは、予め組み立てた骨組１２とカバー１３の一部とからなる半製品１６を、機体フレーム４の側面４ａに備えられる取り付け金具１０にボルト１４を介して取り付けた後、カバー１３の残りの部分である天板１３ａを前記半製品１６に取り付けることによってなされる。【選択図】        図２
2006045853.tif 000002
【特許請求の範囲】
【請求項１】
建設機械の機体本体に足場となるキャットウオークを取り付けるにあたり、該キャットウオークは、パイプと取り付け板とで骨組を形成し、該骨組をカバーで密閉状に覆って構成されていることを特徴とする建設機械のキャットウオーク。
【請求項２】
請求項１において、キャットウオークは、機体本体にボルトを介して組み付けられることを特徴とする建設機械のキャットウオーク。
【請求項３】
請求項１または２において、キャットウオークは、機体本体に組み付けられた骨組全体をカバーで覆って密閉されることを特徴とする建設機械のキャットウオーク。
【請求項４】
請求項１または２において、キャットウオークは、一部がカバーで覆われた骨組を機体本体に組み付け、残りをさらにカバーで覆って密閉されることを特徴とする建設機械のキャットウオーク。
【請求項５】
請求項４において、骨組を覆う一部のカバーには天板を含まないことを特徴とする建設機械のキャットウオーク。
【請求項６】
請求項１乃至５の何れかにおいて、キャットウオークが設けられる建設機械は森林作業用のものであることを特徴とする建設機械のキャットウオーク。
【発明の詳細な説明】
【技術分野】
【０００１】
本発明は、油圧ショベル等の建設機械におけるキャットウオークの技術分野に属するものである。
【背景技術】
【０００２】
一般に、建設機械の機体本体には例えばエンジンルームのメンテナンス作業を行うような場合の作業用足場となるキャットウオークが設けられているものがあるが、従来のキャットウオークは、足場になる板材を、と、該板材の下面に梁板状をした複数の支持材の複数を配したで支持せしめた状態で機体に取り付けていたものがある（例えば、特許文献１参照。）。しかしながらこのものは、板材の底面部や支持材がそのまま露出しているため、これを森林で使用した場合、該森林に植生している木の枝や草等がこれらに挟まったり刺さったりし、これを取り除くためのメンテナンス作業が面倒かつ煩雑なだけでなく、キャットウオークが早期のうちに変形したりするという問題がある。
【特許文献１】実開平５−３２４５１号公報
【発明の開示】
【発明が解決しようとする課題】
【０００３】
そこで、このような森林作業をするものにおいては、板材底面や支持部材が露出しないようカバーで覆って密閉状の構造にすると共に、支持材の板厚を厚くして強度アップを図ることが提唱される。
しかしながらこのように支持材の板厚を厚くして強度アップを図ろうとした場合、キャットウオークが重くなり、取り扱いづらいものになるばかりでなく、機体本体に対して強固な取り付けが強いられるという問題が生じる。
さらに、前記密封状のキャットウオークは、支持材がカバーで覆われてしまうため該支持材自体をボルトにより機体本体に固定することができず、そのため止むを得ず溶接により機体本体に取り付けるか、外部に露出する取り付け部材を介してボルト固定せざるを得なかった。しかしながら前者のものでは、キャットウオークの交換等のメンテナンスが難しいという問題が有り、また後者のものでは、外部に露出する取り付け部材やボルトに木の枝等が挟まったりしてしまうという問題がさらに有り、ここに本発明が解決しようとする課題がある。
【課題を解決するための手段】
【０００４】
本発明は、上記の如き実情に鑑みこれらの課題を解決することを目的として創作されたものであって、請求項１の発明は、建設機械の機体本体に足場となるキャットウオークを取り付けるにあたり、該キャットウオークは、パイプと取り付け板とで骨組を形成し、該骨組をカバーで密閉状に覆って構成されていることを特徴とするものである。
請求項２の発明は、請求項１において、キャットウオークは、機体本体にボルトを介して組み付けられることを特徴とするものである。
請求項３の発明は、請求項１または２において、キャットウオークは、機体本体に組み付けられた骨組全体をカバーで覆って密閉されることを特徴とするものである。
請求項４の発明は、請求項１または２において、キャットウオークは、一部がカバーで覆われた骨組を機体本体に組み付け、残りをさらにカバーで覆って密閉されることを特徴とするものである。
請求項５の発明は、請求項４において、骨組を覆う一部のカバーには天板を含まないことを特徴とするものである。
請求項６の発明は、請求項１乃至５の何れかにおいて、キャットウオークが設けられる建設機械は森林作業用のものであることを特徴とするものである。
【発明の効果】
【０００５】
請求項１の発明とすることにより、キャットウオークの軽量化を図りながら十分な強度を確保できる。
請求項２の発明とすることにより、機体本体へのキャットウオークの取り付け、取り外しを容易にできる。
請求項３または４の発明とすることにより、全体がカバーで覆われたキャットウオークでありながら、該キャットウオークの機体取り付け部が外部に露出しないものにできる。
請求項５の発明とすることにより、天板を後付け取り付けすることになるため、該天板の取り付け部材がキャットウオークの下面に露出することがないものにできる。
請求項６の発明とすることにより、森林作業用のものにしたときに、草木がキャットウオークに引っかかってしまうことを低減できることになる。
【発明を実施するための最良の形態】
【０００６】
次に、本発明の実施の形態について、図面に基づいて説明する。図面において、１は油圧ショベルであって、該油圧ショベル１はクローラ式の下部走行体２、該下部走行体２に旋回装置を介して旋回自在に支持される上部旋回体３等によって構成されている。さらに上記上部旋回体３は、底面を構成する旋回体フレーム４に、運転操縦席５、搭載されるエンジンを覆うエンジンルーム６等の各種部材装置を設けて構成されていることは何れも従来通である。
【０００７】
前記旋回体フレーム４は、適宜の形状、大きさ、長さに設定されたフレーム材、プレート材等の部材を溶着して矩形状に形成されたものであって、旋回体フレーム４の左右方向中央部には左右一対の起立状フレーム７が設けられているが、該起立状フレーム７は、フロントアタッチメントであるブーム８を支持するための背高のタワー部７ａが前部に形成され、そして該タワー部７ａを頂部として上端縁が後側ほど低くなるよう前高後低状に傾斜するようにして形成されている。そして、該起立状フレーム７の左右両側にはサイドフレーム９が設けられており、該サイドフレーム９の左右両面が旋回体フレーム４の左右側面となっているが、該旋回体フレームは、起立状フレーム７ａの左右両側にサイドフレーム９が設けられ、該サイドフレーム９の左右両側面側面４ａには、前後方向適宜間隔を存して取り付け金具１０が溶着等で固着されている。前記取り付け金具１０には、取り付け辺１０ａが旋回体フレーム側面４ａにから突出するようにして設けられ、該取り付け辺１０ａには、後述するキャットウオーク１１を組み付けるため開設された孔部１０ｂと、内側面に固着されたナット１０ｃ２とが設けられている。
【０００８】
前記キャットウオーク１１は、骨組１２とこれを覆うカバー１３とから構成されるが、該骨組１２を構成する前後方向に長い取り付け板１２ａは、前記取り付け辺１０ａに左右方向外側から当てがわれ、ボルト１４によって固着され、これによってキャットウオーク１１の取付をするものである。さらに取り付け板１２ａの上端縁には左右方向外方に向けて上片部１２ｂカバー取り付け片部１２ｂが折曲形成され、該上片部１２ｂカバー取り付け片部１２ｂには前後方向適宜間隔を存して取り付け孔１２ｃが開設され、その下面にナット１５が固着されている。
【０００９】
一方、前記骨組１２を構成するパイプは、本実施の形態では円筒中空状で太径の主パイプ１２ｄと、円筒中空状で該主パイプ１２ｄより細径の上下の補強パイプ１２ｅ、１２ｆとで構成されるが、主パイプ１２ｄは、前後両脚部１２ｇと該両脚部間にある中間部１２ｈとで略コ字形をしている。そして主パイプ１２ｄは、前後両脚部１２ｇの基端が、前記取り付け板１２ａの前後両上端部に固着されることで、中間部１２ｈが左右方向外方に向けて突出するように構成されている。さらに取り付け板１２ａと主パイプ中間部１２ｈとのあいだには、主パイプ両脚部１２ｇ間に位置する前後２箇所（必要において増減できる）に前記上下の補強パイプ１２ｅ、１２ｆがそれぞれ架橋状に設けられている。上側の補強パイプ１２ｅは、取り付け板１２ａの上端部と主パイプ中間部１２ｈｄとのあいだに直線状に設けられ、下側の補強パイプ１２ｆは、左右方向外側ほど上方に位置するよう傾斜する状態で基端が取り付け板１２ａの下端部に固着され、主パイプ１２ｄの下方位置で上方に向けて折曲され先端が主パイプ中間部１２ｈに固着されている。
【００１０】
一方、前記カバー１３は天板１３ａと底板１３ｂと前後側板１３ｃとで構成されている。底板１３ｂは、前記下側補強パイプ１２ｆの下側縁に沿う形状で形成されていて、基端が取り付け板１２ａに突き当てられる状態で固着され、さらに、下側補強パイプ１２ｆ、そして主パイプ中間部１２ｈに固着されている。また、前後側板１３ｃは、底板１３ｂ、取り付け板１２ａ、そして主パイプ脚部１２ｇに沿う形状をしていて、取り付け板１２ａと底板１３ｂの主パイプ前後両脚部１２ｇから僅かに前後方向に突出した前後端縁にそれぞれ固着されており、このようにすることで、キャットウオーク１１は、前後両側部、下方、左右両側部が封鎖され、上方が開口した半製品１６となっている。尚、主パイプ中間部１２ｈには、ナット１７が止着された取り付けブラケット１８が固定されている。
【００１１】
一方、天板１３ａは、矩形状をした板材から構成され、前記取り付け板１２ａの上片部１２ｂカバー取り付け片部１２ｂに設けたナット１５と取り付けブラケット１８に設けたナット１７に対応して貫通孔１３ｄ、１３ｅが開設され、該貫通孔１３ｄ、１３ｅを貫通せしめた取り付けボルト１９を介して前記半製品１６に取り付けることで開口が塞がれ、これによって密閉状のキャットウオーク１１となるように構成されている。なお、取り付けブラケット１８側の貫通孔１３ｅは、ボルト頭１９ａが遊嵌する大きさになっており、そして該貫通孔１３ｅの下面にボルト螺子部が貫通する貫通孔２０ａが穿設されたボルト受け板２０が設けられている。
【００１２】
叙述の如く構成された本発明の実施の形態において、キャットウオーク１１の機体本体への取り付けは、予め組み立てられている前記半製品１６の取り付け板１２ａを機体旋回体フレーム４の側面４ａに備えられる取り付け金具１０にボルト１４ を介して取り付けた後、天板１３ａの貫通孔１３ｄ、１３ｅを貫通せしめた取り付けボルト１９を前記取り付け板１２ａの上片部１２ｂカバー取り付け片部１２ｂに設けたナット１５と取り付けブラケット１８に設けたナット１７に螺合して、天板１３ａを前記半製品１６に取り付けることによってなされるため、キャットウオーク１１を機体本体に取り付け自在なものとすることができる。さらに、前記キャットウオーク１１の機体本体への取り付けは、キャットウオーク１１内部でボルト１４を介してなされるため、取り付け後にボルト１４が外部に露出することがなく、ボルト１４に木の枝等が挟まることを防止できる。
【００１３】
また、前記キャットウオーク１１は、前記骨組１２を円筒中空状の主パイプ１２ｄ、上下側補強助パイプ１２ｅ、１２ｆで構成しているため、従来のキャットウオークに比べ軽量化できる上、キャットウオーク１１の構造の強化を図ることができる。さらに、キャットウオーク１１の機体本体への取り付けは機体本体に備えた取り付け金具１０と取り付け板１２ａとをボルト１４を介して取り付けることによってなされ、本実施形態のキャットウオーク１１はものは従来のものよりも軽量化されているので、機体本体へ取り付けるためのボルトの箇数を少なくできてメンテナンスも含めたキャットウオーク１１の機体への取り付け、取り外しが容易となる。
また、前記キャットウオーク１１は、カバー１３で外面を密閉状に覆う構成となっているため、キャットウオーク１１に木の枝等が挟まることを防止できる。
【００１４】
また、キャットウオーク１１は、天板１３ａを取り外した半製品１６の状態で機体に取り付け、その後、天板１３ａを取り付けボルト１９を介して螺着することで完成品となって機体への取り付けがなされるため、機体取り付け部が内部に隠れて外部に露出しないだけでなく、天板１３ａを取り付けるための取り付けボルト１９は、キャットウオーク１１の上面にあることになって、底板１３ｂを後から取り付けた場合のように下部から露出することがなく、この結果、森林作業用のものとしたときに、作業中に草木がキャットウオーク１１に引っかかってしまうことを低減できる。
【００１５】
尚、本発明は前記実施の形態に限定されるものでないことは勿論であり、例えば図５に示される第二の実施の形態のようにしても実施することができる。このものにおいて、前記第一の実施の形態と同様のものについては同じ引出し符号を付してその詳細な説明を省略する。
本第二の実施の形態のキャットウオーク２１は、第一実施の形態の骨組１２、カバー１３に相当する骨組２２とカバー２３で構成されている。ここで前記骨組２２を構成する取り付け板２２ａは第一実施形態の取り付け板１２ａに相当するが、該取り付け板２１２ａの上側にある上片部１２ｄカバー取り付け片部２２ｂが下側にも備えられている点で第一の実施の形態の取り付け板１２ａと異なっている他は、第一実施形態と同様の構成である。また、骨組２２を構成する主パイプ２２ｃおよび上下の補強パイプ２２ｄ、２２ｅは第一の実施の形態のものと同様の構成である。またさらに、カバー２３は一体形成された板材からなり骨組２２を覆うようにして密閉状のキャットウオーク２１となるように形成されている。
【００１６】
叙述の如く構成された本形態において、前記キャットウオーク２１の機体本体への取り付けは、まず、組み立てられた骨組２２の取り付け板部２２ａを機体側面に取り付けられた取り付け金具１０にボルト１４を介して取り付けることにより、機体本体に骨組２２が取り付けられ、その後、該骨組２２に一体形成されたカバー２３を嵌め込み、該カバー２３の機体本体側上下端部を骨組２２のカバー取り付け片部２２ｂにボルト締めしてなされるため、機体本体にキャットウオーク１１を容易に取り付け、取り外しができるような構成となっている。さらに、さらに、カバー２３が一体形成されているため、キャットウオーク１１の軽量化を図り、かつ強度のアップを図ることができるとともに、機体本体取り付け部が外部に露出しないといった第一の実施の形態のものと同様の効果を奏するものとなる。
【図面の簡単な説明】
【００１７】
【図１】油圧ショベルの側面図である。
【図２】旋回体フレームとキャットウオークの旋回体フレームへの組付けを示す斜視図である。
【図３】キャットウオークの分解斜視図である。
【図４】キャットウオークの断面図である。
【図５】第二の実施の形態のキャットウオークの分解斜視図である。
【符号の説明】
【００１８】
１１    キャットウオーク
１２    骨組
１２ａ  取り付け板
１２ｄ  主パイプ
１２ｅ  上側補強パイプ
１２ｆ  下側補強パイプ
１３    カバー
１３ａ  天板
１４    ボルト
１６    半製品
２１    キャットウオーク
２２    骨組
２３    カバー
【図１】
2006045853.tif 000003
【図２】
2006045853.tif 000004
【図３】
2006045853.tif 000005
【図４】
2006045853.tif 000006
【図５】
2006045853.tif 000007